(57)【特許請求の範囲】
【請求項１】
熱交換器、送風機などを有する空気調和機本体の下面に化粧パネルを設け、また、化粧パネルに両端を支点により保持されている脱着可能な吸入グリルを設け、吸入グリル上面一端に保持部を設けると共にパネル本体の下面一端に保持部に対応した複数の金具支持部と穴を吸入グリルの支点と平行に設け、前記の複数の穴にＵ字型金具の両端を直角に曲げて形成した折り曲げ部を挿入固定すると共に、Ｕ字型金具の中央部にひもを固定した天井埋込型空気調和機の吸入グリル落下防止構造
【請求項２】
前記化粧パネルに設けた金具支持部の穴をＵ字型金具両端の折り曲げ部の先端が飛び出さないような凹形状とした請求項１の天井埋込型空気調和機の吸入グリル落下防止構造
【発明の詳細な説明】
【０００１】
【発明の属する技術分野】
本発明は天井に埋め込まれる空気調和機の化粧パネルに設けた吸入グリルの落下防止構造に関するものである。
【０００２】
【従来の技術】
従来、天井に埋め込まれる空気調和機は図５に示すように、空気調和機本体１があり、空気調和機本体１の下方を天井を介して被う化粧パネル２が配されている。そしてこの化粧パネル２は、パネル本体３、吹出部４、吸入グリル５とエアフィルター６で構成されている。吸入グリル５はエアフィルター６の清掃ができるように両端に設けた支点７を中心に回動可能になっており、またさらに吸入グリル５そのものの清掃ができるようにその支点７の係合をはずすと取り出せるよう構成されている。ひも８は支点７の係合をはずした際の吸入グリル５の落下防止用であり、その両端には略Ｓ字型の金具９を結びつけてあり、それぞれ吸入グリル５に設けた保持部５ａと、パネル本体３に設けた保持部３ａに略Ｓ字型金具９の開口部９ａを各々の保持部５ａ、３ａにくぐらせて引っかけてある。吸入グリル５を取りはずすときは、吸入グリル５の支点７の係合をはずすと共に、吸入グリル５側保持部５ａから略Ｓ字型金具９をはずして行う。
【０００３】
【発明が解決しようとする課題】
しかしながら、上記従来の構成では、ひも８の両端に取り付けた略Ｓ字型金具９はそれぞれ保持部３ａ，５ａの各一点で保持されただけなので、略Ｓ字型金具９が上下左右どの方向にも倒れるため、ひも８の収納の方向が不安定であり、吸入グリル５の開放状態から吸入グリル５を閉じるときに吸入グリル５とパネル本体３の間からひも８がはみ出すことがあり、そのままではデザイン性を損なってしまうため、もう一度ひも８を内側に癖付けして閉め直さなければならなかった。
【０００４】
また、吸入グリル５側と化粧パネル本体３側に引っかける略Ｓ字型金具９が同形状であり、開口部９ａがあるため容易に外しやすく、誤ってパネル本体３側の略Ｓ字型金具９をはずされ、吸入グリル５を取りだしてしまうと、清掃の時にひも８が邪魔になりはずしてしまって紛失してしまう可能性があった。またさらに、略Ｓ字型金具９は材料切断端面が剥き出しになっているため、清掃の際、雑巾やエアフィルター６等を引っかけないように端面にバリ等が無いよう気を付けて製造しなければならなかった。
【０００５】
本発明は上記従来の課題を解決するもので、吸入グリル開閉の際の落下防止用のひものかみ込みをなくし、なおかつメンテナンス性をも向上させる天井埋込型空気調和機の吸入グリル落下防止構造を提供するものである。
【０００６】
【課題を解決するための手段】
上記課題を解決するために、本発明はパネル本体に複数の金具支持部と穴を吸入グリルの支点と並行に設け、穴にＵ字型金具の両端を直角に曲げて形成した折り曲げ部を挿入固定すると共に、Ｕ字型金具の中央部にひもを固定したものである。
【０００７】
【発明の実施の形態】
請求項１に記載の発明は、熱交換器、送風機などを有する空気調和機本体の下面に化粧パネルを設け、また、化粧パネルに両端を支点により保持されている脱着可能な吸入グリルを設け、吸入グリルの上面一端に保持部を設けると共に、パネル本体の下面一端に保持部に対応した複数の金具支持部と穴を吸入グリルの支点と平行に設け、前記の複数の穴にＵ字型金具の中央部にひもを固定したことにより、Ｕ字型金具が吸入グリルの回動方向にのみ回転して収納されるため、ひもの収納方向が安定する。また、Ｕ字型金具は容易には外れることがない。
【０００８】
請求項２に記載の発明は、前記化粧パネルに設けた金具支持部の穴をＵ字型金具両端の折り曲げ部の先端が飛び出さないような凹形状として構成したものであり、これにより端面のバリ等を気にせず製造でき、またメンテナンス性も向上できる。
【０００９】
【実施例】
以下、本発明の一実施例を添付図面の図１から図３に基づいて説明する。
【００１０】
図１に示すように、１は天井に埋め込まれる空気調和機本体であり内部に送風機１０や熱交換器１１などを有している。２は空気調和機本体１の下方に天井１５を介して固定される化粧パネルである。化粧パネル２は、パネル本体３、吹出部４、吸入グリル５とエアフィルター６で構成されている。また、吸入グリル５は支点７を中心にＤ方向に回動可能になっているが、他端に設けられた爪１２がパネル本体３のラッチ１３に係合することによって保持されている。そして爪１２とラッチ１３の係合をはずして吸入グリル５を矢印Ｄ方向に回動させて吸入グリル５を開放し、エアフィルター６を取りはずすことができ、また支点７をはずして吸入グリル５も取りはずすことができる。
【００１１】
また、ひも８は支点７をはずした際の吸入グリル５の落下防止用であり、その先端には片側には略Ｓ字型の金具９が固定してあり、もう一方には両端を直角に曲げて折り曲げ部１４ｃを形成した弾性を有する強固な線材で形成されたＵ字型金具１４がその中央部１４ａで強固に固定してある。また、吸入グリル５の上面一端には保持部５ａが形成されると共に、パネル本体３の下面一端の保持部５ａ近傍には複数の金具支持部３ｂが設けられている。また、複数の金具支持部３ｂには、複数の穴３ｃが吸入グリル５の支点７と平行に設けられている。
【００１２】
そして、略Ｓ字型金具９は、開口部９ａにより吸入グリル５に設けた保持部５ａへ引っかけ、Ｕ字型金具１４は、パネル本体３の金具支持部３ｂに挿入されて、固定されている。そしてＵ字型金具１４の金具支持部３ｂへの取付は、Ｕ字型金具１４の直線部１４ｂを押さえてたわませ、折り曲げ部１４ｃの先端を金具支持部３ｂの穴３ｃに臨ませて挿入することによりできる。
【００１３】
また、挿入後は折り曲げ部１４ｃが直角に曲げられているため、ひも８に張力を加えても容易に外れることはない。
【００１４】
ここで吸入グリル５を閉じるときのひも８の動作を説明する。ひも８は吸入グリル５の回動にともない変形し、吸入グリル５を閉じた状態においては吸入グリル５とパネル本体３との間に折れ曲がり収納されるが、金具支持部３ｂの複数の穴３ｃが吸入グリル５の支点７と平行に設けられているため、Ｕ字型金具１４が穴３ｃを支点として吸入グリル５の回動方向にのみ回転して収納されるため、ひも８の収納方向も自ずと吸入グリル５の回動方向へと定まり、さらにＵ字型金具１４の中央部１４ｂにひも８を強固に固定しているため、ひも８はひも収納範囲Ｅ内に納まって安定して収納される。
【００１５】
このようにひも８は、吸入グリル５とパネル本体３の間からはみ出すことはなく、ひも８がはみ出したままにされデザイン性が損なわれてしまったり、ひも８を癖付けして吸入グリル５を閉め直すといったことは必要ない。
【００１６】
また、吸入グリル５を取り出して清掃する際に、吸入グリル５側とパネル本体３側に引っかける略Ｓ字型金具９とＵ字型金具１４が別形状であり、また、Ｕ字型金具１４には略Ｓ字型金具９のような開口部９ａがなく、金具支持部３ｂの複数の穴３ｃにＵ字型金具１４の折り曲げ部１４ｃが挿入固定されているため、誤ってパネル本体３側のＵ字型金具１４をはずされる事が無くなり、ひも８を紛失することがない。
【００１７】
さらにパネル本体３側の金具支持部３ｂの形状を図４に示すように貫通した穴ではなく凹形状３ｄにすることによって、直角に曲げたＵ字型金具１４の両端面が表面に出ず、Ｕ字型金具１４の端面のバリ等を気にせず生産することができ、清掃時にフィルター６が引っかかったりパネル本体３の表面を拭く雑巾が引っかかるといったことが無くなり、メンテナンス性が向上する。
【００１８】
【発明の効果】
上記説明から明らかなように、請求項１に記載の発明は、熱交換器、送風機などを有する空気調和機本体の下面に化粧パネルを設け、また、化粧パネルに両端を支点により保持されている脱着可能な吸入グリルを設け、吸入グリル上面一端に保持部を設けると共にパネル本体の下面一端に保持部に対応した複数の金具支持部と穴を吸入グリルの支点と平行に設け、前記の複数の穴にＵ字型金具の両端を直角に曲げて形成した折り曲げ部を挿入固定すると共に、Ｕ字型金具の中央部にひもを固定したものであり、この構成によれば、ひもは吸入グリルとパネル本体の間からはみ出すこと無く安定して収納されるため、はみ出したままにされデザイン性を損ねたり、もう一度吸入グリルを閉め直す必要が無くなった。また、Ｕ字型金具の両端の折り曲げ部が複数の金具支持部の穴により固定されているため誤ってはずされることが無くなりひもを紛失するおそれが無くなった。
【００１９】
請求項２に記載の発明は、前記化粧パネルに設けた金具支持部の穴をＵ字型金具両端の折り曲げ部の先端が飛び出さないような凹形状としたものであり、この構成によれば、Ｕ字型金具の両端面が表面に出ないためバリ等を気にせずに製造できるうえ、清掃時にフィルターや雑巾を引っかける事が無くなり、メンテナンス性を向上させた。
【図面の簡単な説明】
【図１】本発明の一実施例における空気調和機および化粧パネルの要部斜視図
【図２】同実施例における空気調和機および化粧パネルの要部断面図
【図３】同実施例における化粧パネルの要部断面図
【図４】本発明の一実施例における化粧パネルの要部断面図
【図５】従来の空気調和機および化粧パネルの要部斜視図
【符号の説明】
１  空気調和機
２  化粧パネル
３  パネル本体
３ａ  保持部
３ｂ  金具支持部
３ｃ  穴
３ｄ  凹部
５  吸入グリル
５ａ  保持部
７  支点
８  ひも
９  略Ｓ字型金具
１０  送風機
１１  熱交換器
１４  Ｕ字型金具
１４ａ  中央部
１４ｃ  折り曲げ部
【図１】
0003788135.tif 000002
【図２】
0003788135.tif 000003
【図３】
0003788135.tif 000004
【図４】
0003788135.tif 000005
【図５】
0003788135.tif 000006